【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
通信網を介して端末とサーバとの間でマルチメディアメッセージ通信サービスを実現させるための方法であって、前記端末は無線路経由で前記通信網と通信するように構成されており、
端末にアドレス指定された、少なくとも１つのメッセージコンポーネントを包含するマルチメディアメッセージをサーバで受取ること、
サーバからの通知メッセージを無線路経由で通信網を介して端末に伝送すること、
を包含する方法であって、
通知メッセージが、前記少なくとも１つのメッセージコンポーネントの少なくとも１つのプロパティに関する情報を包含すること、および、
この方法がさらに、
前記通知メッセージを端末で受取ること、
端末において、該端末に転送すべきメッセージコンポーネントを、前記通知メッセージによって運ばれたプロパティ情報に基づいて選択すること、
端末において、選択されたメッセージコンポーネントのためのベアラを、前記通知メッセージによって運ばれたプロパティ情報に基づいて選択すること、および、
選択されたメッセージコンポーネントを無線路経由で転送するために、端末によって選択されたベアラを使って該メッセージコンポーネントをサーバから端末に転送すること、
を包含することを特徴とする方法。
【請求項２】
請求項１に記載の方法であって、前記少なくとも１つのメッセージコンポーネントのプロパティが前記メッセージコンポーネントのタイプに関する情報を包含し、該情報が前記ベアラの選択において使用されることを特徴とする方法。
【請求項３】
請求項１又は２に記載の方法であって、前記少なくとも１つのメッセージコンポーネントのプロパティが前記メッセージコンポーネントのサイズに関する情報を包含し、該情報が前記ベアラの選択において使用されることを特徴とする方法。
【請求項４】
請求項１〜３のいずれか一つに記載の方法であって、前記少なくとも１つのメッセージコンポーネントのプロパティが前記メッセージコンポーネントの重要度に関する情報を包含し、該情報が前記ベアラの選択において使用されることを特徴とする方法。
【請求項５】
請求項１〜４のいずれか一つに記載の方法であって、方法がさらに、
端末に少なくとも１つのユーザが設定し得るルールであって該端末に所定の処理を実行させるユーザ構成可能ルールを定めること、および
前記少なくとも１つのユーザ構成可能ルールを前記ベアラの選択において使用すること、
を包含することを特徴とする方法。
【請求項６】
請求項１〜５のいずれか一つに記載の方法であって、前記マルチメディアメッセージは２つ以上のメッセージコンポーネントを包含し、および端末に転送する２つ以上のメッセージコンポーネントを端末が選択することを包含し、そこでは、端末が２つ以上の選択されたメッセージコンポーネントの各々を無線路経由で転送するためのベアラを選択し、各々の選択されたベアラは端末がサポートするベアラセットの中から選択される、ことを特徴とする方法。
【請求項７】
請求項１〜６のいずれか一つに記載の方法であって、２つ以上のメッセージコンポーネントタイプが存在すること、およびデフォルトベアラが前記２つ以上のメッセージコンポーネントタイプの各々に対して定められることを包含し、そこでは、所定のメッセージコンポーネントタイプのメッセージコンポーネントに対し、端末が、無線路経由で該メッセージコンポーネントを転送するために、メッセージコンポーネントのメッセージコンポーネントタイプに対して定められるデフォルトベアラを選択すること、を特徴とする方法。
【請求項８】
請求項１〜７のいずれか一つに記載の方法であって、２つ以上のメッセージコンポーネントタイプが存在すること、および２つ以上のデフォルトベアラが前記２つ以上のメッセージコンポーネントタイプの各々に対して定められることを包含し、そこでは、所定のメッセージコンポーネントタイプのメッセージコンポーネントに対し、端末が無線路経由で該メッセージコンポーネントを転送するためのベアラを、該メッセージコンポーネントのメッセージコンポーネントタイプに対して定められる２つ以上のデフォルトベアラの中から選択することを特徴とする方法。
【請求項９】
請求項８に記載の方法であって、端末が無線路経由でメッセージコンポーネントを転送するためのベアラを、メッセージコンポーネントのメッセージコンポーネントタイプに対して定められる前記２つ以上のデフォルトベアラの中から選択することは、デフォルトベアラのデータ伝送速度；デフォルトベアラのデータ伝送コスト；メッセージコンポーネントのサイズの各基準の一つに基づいて行なうこと、を特徴とする方法。
【請求項１０】
請求項１〜９のいずれか一つに記載の方法であって、前記通知メッセージを端末で受取った後、該端末は、メッセージコンポーネントの取り出しについて決定を下すことを特徴とする方法。
【請求項１１】
請求項１０に記載の方法であって、前記端末へのメッセージコンポーネントの取り出しに関する決定が、通知メッセージで運ばれた情報に基づいて成されるものであることを特徴とする方法。
【請求項１２】
請求項１０又は１１に記載の方法であって、前記端末へのメッセージコンポーネントの取り出しに関する決定が、該端末のプロパティの少なくとも一部に基づいてなされるものであることを特徴とする方法。
【請求項１３】
請求項１２に記載の方法であって、前記端末のプロパティが、該端末の使用可能メモリ、該端末の特定のメッセージコンポーネントタイプを処理する能力、のうち少なくとも１つを含むことを特徴とする方法。
【請求項１４】
請求項１０〜１３のいずれか一つに記載の方法であって、前記通知メッセージがさらに、前記マルチメディアメッセージの送信者に関する情報を包含し、そこでは、前記端末へのメッセージコンポーネントの取り出しに関する決定が、該マルチメディアメッセージの送信者に関する情報の少なくとも一部に基づいてなされるものであることを特徴とする方法。
【請求項１５】
請求項１０〜１４のいずれか一つに記載の方法であって、方法がさらに、
端末において、少なくとも１つのユーザが設定し得るルールであって該端末に所定の処理を実行させるユーザ構成可能ルールを定めることを包含し、そこでは、前記端末へのメッセージコンポーネントの取り出しに関する決定が、前記少なくとも一つのユーザ構成可能ルールの少なくとも一部を用いてなされるものであることを特徴とする方法。
【請求項１６】
請求項１０〜１５のいずれか一つに記載の方法であって、前記端末へのメッセージコンポーネントの取り出しに関する決定と関連して、該メッセージコンポーネントが端末のメモリに収納できないか、または端末が該メッセージコンポーネントを処理し得ないと判断する場合は、該端末のユーザに通知されることを特徴とする方法。
【請求項１７】
請求項１６に記載の方法であって、前記ユーザへの通知において、ユーザに特定の処置を講じるよう要求することを特徴とする方法。
【請求項１８】
請求項１７に記載の方法であって、前記特定の処置が、端末へのコンピュータ取付け、端末への補助メモリデバイスへの取付けのうちの１つであることを特徴とする方法。
【請求項１９】
請求項１〜１８のいずれか一つ１に記載の方法であって、前記サーバはメッセージ蓄積転送方式を用いてメッセージを転送することを特徴とする方法。
【請求項２０】
請求項１〜１９のいずれか一つに記載の方法であって、サーバと端末の間のトラフィックがＷＡＰゲートウェイ（Wireless Application Protocol＝ワイヤレス・アプリケーション・プロトコル）を通して実現させられること、および、少なくとも該端末がＷＡＰプロトコルを通信に使用するように適合されていることを特徴とする方法。
【請求項２１】
無線路経由で通信網（１２、１８）と通信すべく配置された端末（ＭＳ）で、無線路経由で通信網（１２、１８）と通信中のサーバ（ＭＭＳＣ）から伝送された通知メッセージ（３０）を受取るための手段（ＭＰＵ、ＲＦ、ＡＥＲ）を包含し、ここで、通知メッセージ（３０）は、端末（ＭＳ）にアドレス指定されたマルチメディアメッセージ及び少なくとも一つのメッセージコンポーネントを包含するものが前記サーバ（ＭＭＳＣ）に到達したことを通知し、該通知メッセージ（３０）が前記少なくとも１つのメッセージコンポーネントの少なくとも１つのプロパティに関する情報を包含しており、
該端末（ＭＳ）は、前記通知メッセージ（３０）を受取るための手段（ＭＰＵ、ＲＦ、ＡＥＲ）、および端末（ＭＳ）に転送すべきメッセージコンポーネントを前記通知メッセージ（３０）によって運ばれたプロパティ情報に基づいて選択するための手段（ＭＰＵ）、を包含し、
該端末（ＭＳ）はさらに、
選択されたメッセージコンポーネントを前記サーバ（ＭＭＳＣ）から前記無線路経由で端末（ＭＳ）に転送する目的で、選択されたメッセージコンポーネントのためのベアラを前記通知メッセージ（３０）によって運ばれたプロパティ情報に基づいて選択するための手段（ＭＰＵ）を包含することを特徴とする端末。
【請求項２２】
請求項２１に記載の端末であって、どのベアラが選択されるかに基づくプロパティ情報は、前記メッセージコンポーネントのタイプに関する情報を包含する
ことを特徴とする端末。
【請求項２３】
請求項２１又は２２に記載の端末であって、どのベアラが選択されるかに基づくプロパティ情報は、前記メッセージコンポーネントのサイズに関する情報を包含することを特徴とする端末。
【請求項２４】
請求項２１〜２３のいずれか一つに記載の端末であって、どのベアラが選択されるかに基づくプロパティ情報は、前記メッセージコンポーネントの重要度に関する情報を包含することを特徴とする端末。
【請求項２５】
請求項２１〜２４のいずれか一つに記載の端末であって、端末（ＭＳ）はさらに、
端末において、少なくとも一つのユーザが設定し得るルールであって該端末に所定の処理を実行させるユーザ構成可能ルールを定める手段（ＭＥＭ）、
前記ベアラの選択において、前記少なくとも一つのユーザ構成可能ルールを使用する手段（ＭＰＵ）、
を包含することを特徴とする端末。
【請求項２６】
請求項２１〜２５のいずれか一つに記載の端末であって、２つ以上のメッセージコンポーネントタイプが存在し、および端末（ＭＳ）はさらに、
前記２つ以上のメッセージコンポーネントタイプの各々のデフォルトベアラを定める手段（ＭＥＭ）を包含し、そこでは、所定のメッセージコンポーネントタイプに対して、端末（ＭＳ）が無線路経由でメッセージコンポーネントを転送する目的でメッセージコンポーネントのメッセージコンポーネントタイプに対して定められるデフォルトベアラを選択するように構成されていることを特徴とする端末。
【請求項２７】
請求項２１〜２６のいずれか一つに記載の端末であって、該端末へのメッセージコンポーネントの取り出しに関する決定が、端末のプロパティの少なくとも一部に基づいてなされるように構成されていることを特徴とする端末。
【請求項２８】
請求項２７に記載の端末であって、端末（ＭＳ）のプロパティが、該端末の使用可能メモリ、該端末の特定のメッセージコンポーネントタイプを処理する能力、のうち少なくとも１つを含むことを特徴とする端末。
【請求項２９】
請求項２１〜２８のいずれか一つに記載の端末であって、端末（ＭＳ）は、
該端末（ＭＳ）へのメッセージコンポーネントの取り出しに関する決定と関連して、メッセージコンポーネントが端末のメモリに収容できるか否かを判断する手段（ＭＰＵ）、および
その判断結果が否定的であることをユーザに通知する手段（ＵＩ）、
を包含することを特徴とする端末。
【請求項３０】
請求項２１〜２８のいずれか一つに記載の端末であって、端末（ＭＳ）は、
該端末（ＭＳ）へのメッセージコンポーネントの取り出しに関する決定と関連して、端末がメッセージコンポーネントを処理できるか否かを判断する手段（ＭＰＵ）、および
その判断結果が否定的であることをユーザに通知する手段（ＵＩ）、
を包含することを特徴とする端末。
【請求項３１】
請求項２９又は３０に記載の端末であって、端末（ＭＳ）は該否定的な判断結果が生じたときに、ユーザに対して特別のステップをとることを要求する手段（ＭＰＵ、ＵＩ）を包含することを特徴とする端末。
【請求項３２】
請求項３１に記載の端末であって、該特別のステップは、コンピュータを端末に取り付けること、または補助メモリ装置を端末に取り付けること、のうちの一つからなることを特徴とする端末。
【請求項３３】
請求項２１〜３２のいずれか一つに記載の端末であって、端末（ＭＳ）は、通信網（１２、１８）に端末（ＭＳ）が選択したベアラを通知する手段（ＭＰＵ、ＲＦ、ＡＥＲ）を包含することを特徴とする端末。
【請求項３４】
請求項２１〜３３のいずれか一つに記載の端末（ＭＳ）であって、
端末（ＭＳ）が前記メッセージコンポーネントの転送を開始するための手段（ＭＰＵ、ＲＦ、ＡＥＲ）を包含することを特徴とする端末。
【請求項３５】
請求項２１〜３４のいずれか一つに記載の端末（ＭＳ）であって、
端末（ＭＳ）がセルラー通信網の移動局、コンピュータ端末、無線カードのうちの１つであることを特徴とする端末。
【請求項３６】
端末（ＭＳ）が、無線路経由で通信網（１２、１８）と通信し、この通信網（１２、１８）と結合するサーバ（ＭＭＳＣ）から前記無線路経由で該端末に伝送された通知メッセージ（３０）を受取り、該通知メッセージ（３０）は、端末（ＭＳ）にアドレス指定されたマルチメディアメッセージ及び少なくとも一つのメッセージコンポーネントを包含するものが前記サーバ（ＭＭＳＣ）に到達したことを通知し、前記通知メッセージ（３０）が少なくとも１つのメッセージコンポーネントの少なくとも１つのプロパティに関する情報を包含する、ように構成されたマルチメディアメッセージ通信サービスを提供するネットワークにおいて、
該端末（ＭＳ）における前記マルチメディアメッセージ通信サービスを実現させるためのコンピュータプログラムは、
端末（ＭＳ）に転送すべきメッセージコンポーネントを前記通知メッセージ（３０）によって運ばれたプロパティ情報に基づいて該端末（ＭＳ）に選択させるためのコンピュータ実行可能なコードを包含し、
さらに、選択されたメッセージコンポーネントを前記サーバ（ＭＭＳＣ）から前記無線路経由で端末（ＭＳ）に転送する目的で、選択されたメッセージコンポーネントのためのベアラを前記通知メッセージ（３０）によって運ばれたプロパティ情報に基づいて該端末に選択させるためのコンピュータ実行可能なコードを包含することを特徴とするコンピュータプログラム。